(57)【特許請求の範囲】
【請求項１】
トルクレンチを用いて第１ハウジングと第２ハウジングとが低挿入力で嵌合する低挿入力コネクタであって、
前記第１ハウジングが正面に十字開口部を備え、
前記第２ハウジングが、前記第１ハウジングとの仮嵌合状態で前記十字開口部に対応する部位の一方側に挿入用斜面と他方側に前記挿入用斜面と逆向きの離脱用斜面が形成されており、
前記トルクレンチが把持部と前記把持部を把持した状態で正面にＴ字レンチを備え、
前記Ｔ字レンチを前記十字開口部に挿入して前記一方側に回わすと前記Ｔ字レンチが前記挿入用斜面を押すことで前記第１ハウジングと前記第２ハウジングが接近し、
前記Ｔ字レンチを同じく前記十字開口部に挿入して前記他方側に回わすと前記Ｔ字レンチが前記離脱用斜面を押すことで前記第１ハウジングと前記第２ハウジングが離れていくことで、第１ハウジングと第２ハウジングとが低い力で嵌合または離脱することを特徴とする低挿入力コネクタ。
【請求項２】
前記第２ハウジングの一方側の前記挿入用斜面と他方側の前記離脱用斜面がそれぞれ前記十字開口部の交点に対して点対称に形成されていることを特徴とする請求項１記載の低挿入力コネクタ。
【請求項３】
前記トルクレンチがその軸部に把持側からＴ字レンチ側に向けて第１突起と第２突起を備え、
前記軸部が通り抜けかつ前記第１突起と第２突起が通り抜けできない大きさの開口部が一辺端部から中央に向かってあけられたストッパ板を備え、
嵌合時に前記ストッパ板を前記第１突起に係止させ、離脱時に前記ストッパ板を前記第２突起に係止させることで、前記Ｔ字レンチの前記十字開口部からの挿入長さを調節できるようにしたことを特徴とする請求項１または２記載の低挿入力コネクタ。
【発明の詳細な説明】
【技術分野】
【０００１】
本発明は、低挿入力コネクタに関するもので、特に、従来製品のような複雑な螺旋加工を必要としないで低い力でハウジングを嵌合および離脱することができる低挿入力コネクタに関する。
【背景技術】
【０００２】
従来の低挿入力コネクタとしては、特許文献１に記載された発明が知られている。
図１２は特許文献１に記載された低挿入力コネクタを説明する図で、（Ａ）は第１コネクタと第２コネクタの平面断面図、（Ｂ）は第１コネクタと第２コネクタの斜視図である。
特許文献１に記載された低挿入力コネクタは、オスコネクタ１１０とメスコネクタ１２０とハンドル１３０とから成るもので、オスコネクタ１１０はハウジングに貫設した軸孔の出口からコネクタ嵌合方向に係止爪部１１０Ｔを有する可撓係止アーム１１０Ｆと抜け防止突起１１０Ｎとを設けてなり、メスコネクタ１２０は可撓係止アーム１１０Ｆの係止爪部１１０Ｔに対する仮係合部１２０Ｋと本係合部１２０Ｈとをコネクタ嵌合方向に順次設けると共に軸孔の延長上に螺合突起１２０Ｊを設けてなり、ハンドル１３０は螺合突起１２０Ｊに対するねじ部１３０Ｊをハンドル１３０の軸の先端に設けると共に抜け防止突起１１０Ｎに対する挿通溝１３０Ｍを有する環状部１３０Ｋと、挿通溝１３０Ｍに連通し、抜け防止突起１１０Ｎと括れ部１１０Ｃとを順次係合可能な環状溝１３０Ｃとを連成してなるハンドルの回動軸とにより構成されている。
【先行技術文献】
【特許文献】
【０００３】
【特許文献１】特許第２６１３９９８号公報
【０００４】
〈特許文献１記載の低挿入力コネクタの作用〉
オスコネクタ１１０とメスコネクタ１２０を仮係合させた状態で、ハンドル１３０の軸先端をオスコネクタ１１０の軸孔１１０Ａに挿通させ、抜け防止突起１１０Ｎを挿通溝１３０Ｍに挿通させると共に可撓係止アーム１１０Ｆの括れ部１１０Ｃを環状溝１３０Ｃに係合させる。可撓係止アーム１１０Ｆの係止爪部１１０Ｔは、メスコネクタ１２０の仮係合孔１２０Ｋに係合してコネクタ相互の位置合わせを行わせ、次いでハンドル１３０の軸先端を押し込むと、可撓係止アーム１１０Ｆの括れ部１１０Ｃを外側に押し拡げて係止爪部１１０Ｔの仮係合を解除させる。オスコネクタ１１０の抜け防止突起１１０Ｎは、ハンドル１３０の環状溝１３０Ｃに係合してハンドル軸を軸方向に固定させ、メスコネクタ１２０の螺合突起１２０Ｊは、ハンドル１３０の挿通溝１３０Ｍ内に位置する。そしてハンドル取っ手１３０Ｈでハンドル１３０の軸を半回転させることにより、螺合突起１２０Ｊをねじ部１３０Ｊに沿って引き上げる。螺合突起１２０Ｊは半転したねじ部１３０Ｊの挿通切欠部上に位置し、オスコネクタ１１０の抜け防止突起１１０Ｎは環状部１３０Ｋの挿通溝１３０Ｍ上にそれぞれ位置し、オスコネクタ１１０の可撓係止アーム１１０Ｆは拡開した状態で係止爪部１１０Ｔをメスコネクタ１２０の本係合孔１２０Ｈに対向して位置させ、最後に両コネクタ１１０，１２０からハンドル軸を引き抜くことにより、係止爪部１１０Ｔがメスコネクタ１２０の本係合孔１２０Ｈに係合して両コネクタ１１０，１２０のロックを行わせる。
【０００５】
〈特許文献１記載の低挿入力コネクタの問題点〉
以上の如く特許文献１記載の発明によれば、コネクタ嵌合後は回動軸を引き抜くからコネクタの肥大化や重量化が防止され、コネクタが完全嵌合したことを確認でき、コネクタの不完全嵌合が防止されるという効果がある反面、低挿入力のために用いられる回動軸がねじ部を備えているため、複雑な螺旋加工が必要となる問題点があった。
【０００６】
〈本発明の目的〉
本発明は上記欠点を解決するためになされたもので、ねじ部のような複雑な螺旋加工が必要でなくなる低挿入力コネクタを提供することを目的としている。
【発明の概要】
【課題を解決するための手段】
【０００７】
本発明は上記課題を解決するためになされたもので、本願の第１発明は、トルクレンチを用いて第１ハウジングと第２ハウジングとが低挿入力で嵌合する低挿入力コネクタであって、前記第１ハウジングが正面に十字開口部を備え、前記第２ハウジングが、前記第１ハウジングとの仮嵌合状態で前記十字開口部に対応する部位の一方側に挿入用斜面と他方側に前記挿入用斜面と逆向きの離脱用斜面が形成されており、前記トルクレンチが把持部と前記把持部を把持した状態で正面にＴ字レンチを備え、前記Ｔ字レンチを前記十字開口部に挿入して前記一方側に回わすと前記Ｔ字レンチが前記挿入用斜面を押すことで前記第１ハウジングと前記第２ハウジングが接近し、前記Ｔ字レンチを同じく前記十字開口部に挿入して前記他方側に回わすと前記Ｔ字レンチが前記離脱用斜面を押すことで前記第１ハウジングと前記第２ハウジングが離れていくことで、第１ハウジングと第２ハウジングとが低い力で嵌合または離脱することを特徴としている。
【０００８】
第２発明は、第１発明の低挿入力コネクタにおいて、前記第２ハウジングの一方側の前記挿入用斜面と他方側の前記離脱用斜面がそれぞれ前記十字開口部の交点に対して点対称に形成されていることを特徴としている。
【０００９】
第３発明は、第１発明または第２発明の低挿入力コネクタにおいて、前記トルクレンチがその軸部に把持側からＴ字レンチ側に向けて第１突起と第２突起を備え、前記軸部が通り抜けかつ前記第１突起と第２突起が通り抜けできない大きさの開口部が一辺端部から中央に向かってあけられたストッパ板を備え、嵌合時に前記ストッパ板を前記第１突起に係止させ、離脱時に前記ストッパ板を前記第２突起に係止させることで、前記Ｔ字レンチの前記十字開口部からの挿入長さを調節できるようにしたことを特徴としている。
【発明の効果】
【００１０】
第１発明によれば、従来の低挿入力コネクタに必要だったねじ部のような複雑な螺旋加工が必要でなく、簡単な傾斜面だけをオスコネクタ側に形成し、かつ汎用のトルクレンチを用いるだけで、低い力で両ハウジングを嵌合および離脱することができる低挿入力コネクタを得ることができる。
【００１１】
第２発明によれば、傾斜面が２箇所に設けられるので、安定して操作性のよい低挿入力コネクタを得ることができる。
【００１２】
第３発明によれば、ストッパ板を用いることで、Ｔ字レンチの十字開口部からの挿入長さを調節できるので、熟練を必要としなくなり、作業性が向上する。
【図面の簡単な説明】
【００１３】
【図１】図１は、本発明に係る低挿入力コネクタの各部品を示す分解斜視図である。
【図２】図２はトルクレンチを用いた嵌合直前の状態を示す斜視図である。
【図３】図３はＴ字レンチ作動部を説明する図で、（Ａ）はオスハウジングの正面図、（Ｂ）はＴ字レンチ作動部の拡大正面図である。
【図４】図４（Ａ）は図２のオスハウジングのＴ字レンチ作動部を底部と右側部の方向から見た斜視図、図４（Ｂ）は図２のオスハウジングのＴ字レンチ作動部を上部と右側部の方向から見た斜視図である。
【図５】図５は本発明で使用するトルクレンチの側面図である。
【図６】図６は本発明の低挿入力コネクタの嵌合手順を説明する図で、（Ａ）はオスハウジングとメスハウジングを仮嵌合した状態をメスハウジング側から見た正面図、（Ｂ）は同じくそれの平面断面図で、両図において（１）は仮嵌合時、（３）は嵌合完了時、（２）はその途中の図である。
【図７】図７はトルクレンチのＴ字レンチの一端がオスハウジングの上部作動部の挿入用斜面の開始する辺の位置に到達し、他端が下部作動部の挿入用斜面の開始する辺の位置に到達している状態を示す斜視図である。
【図８】図８は、本発明に係る低挿入力コネクタが嵌合している状態を示す斜視図である。
【図９】図９は嵌合状態の低挿入力コネクタをトルクレンチを用いて離脱させる状態を示す斜視図である。
【図１０】図１０は本発明の低挿入力コネクタの離脱手順を説明する図で、（Ａ）はオスハウジング１０とメスハウジング２０が嵌合した状態をメスハウジング側から見た正面図、（Ｂ）は同じくそれの平面断面図で、両図において（１）は嵌合時、（３）は嵌合離脱時、（２）はその途中の図である。
【図１１】図１１は、本発明の低挿入力コネクタのメスハウジングの十字開口部の正面図である。
【図１２】図１２は特許文献１に記載された低挿入力コネクタを説明する図で、（Ａ）は第１コネクタと第２コネクタの平面断面図、（Ｂ）は第１コネクタと第２コネクタの斜視図である。
【発明を実施するための形態】
【００１４】
以下、ねじ部のような複雑な螺旋加工を必要としない本発明に係る低挿入力コネクタについて、以下に図面を用いて説明する。
【００１５】
〈本発明の低挿入力コネクタを構成する４つの部品〉
図１は本発明に係る低挿入力コネクタの各部品を示す分解斜視図、図２はトルクレンチを用いた嵌合直前の状態を示す斜視図である。本発明の低挿入力コネクタは４つの部品から構成されている。すなわち、それらは、図１および図２に示すように、オスハウジング１０、メスハウジング２０、ストッパ板３０、トルクレンチ４０（図２）である。
以下に、この４つの部品の形状・構造について説明する。
【００１６】
〈オスハウジング１０〉
オスハウジング１０は内部に空間を有する箱状をしており、メスハウジングの接続端子と接続される多数の接続端子（図示は省略）を内部に収容している。その内部空間に同じく箱状をしたメスハウジング２０が嵌め込まれる。オスハウジング１０の箱形状は、背面部１０Ｗ（図２）、上部１０Ａ（図２）、底部１０Ｂ（図２）、右側部１０Ｒ（図２）、左側部１０Ｌ（図２）から成り、嵌合方向に開口し、ここからメスハウジング２０が嵌め込まれる。内部空間に以下で説明するＴ字レンチ作動部１０Ｔが備えられている。上部１０Ａ（図２）の左右方向の中央で前側寄りにストッパ板挿入穴１０Ｋがあけられている。
【００１７】
《Ｔ字レンチ作動部１０Ｔ》
図３はＴ字レンチ作動部を説明する図で、（Ａ）はオスハウジングの正面図、（Ｂ）はＴ字レンチ作動部の拡大正面図である。図４（Ａ）は図２のオスハウジング１０のＴ字レンチ作動部１０Ｔを底部１０Ｂと右側部１０Ｒの方向から見た斜視図、図４（Ｂ）は図２のオスハウジング１０のＴ字レンチ作動部１０Ｔを上部１０Ａと右側部１０Ｒの方向から見た斜視図である。
図３および図４において、Ｔ字レンチ作動部１０Ｔは、トルクレンチ４０（図５）のＴ字レンチ４０Ｔ（図５）が入り込める空隙を空けた横溝空間１０Ｈ（図３（Ａ））を境にして上下にそれぞれ以下に述べる上部作動部Ｔｏと下部作動部Ｔｕとから成っている。
【００１８】
《上部作動部Ｔｏ》
上部作動部Ｔｏは全体が略箱状をしており、横溝空間１０Ｈの中心から真上に延びる縦溝空間１０Ｖ（図３（Ａ））を境にして箱の右側下方に以下に述べる挿入用斜面１０Ｓ１と、左側下方に以下に述べる離脱用斜面１０Ｓ２が形成されている。
【００１９】
《挿入用斜面１０Ｓ１》
図３（Ｂ）において、挿入用斜面１０Ｓ１は、図で手前側（メスハウジング２０（図２）側）の正面（灰色）の両角（かど）にある２つの点Ｐ１とＰ２を結ぶ辺Ｈ１２から出発して、図で奥側（背面部１０Ｗ（図２）側）の面（白色）上にある角（かど）の点Ｐ３に向けて辺Ｈ１２の長さを狭めながら最後の点Ｐ３では点となる全体で三角形Ｐ１（手前）・Ｐ２（手前）・Ｐ３（奥）をなす斜面である。図３では、挿入用斜面１０Ｓ１は、上部作動部Ｔｏの正面の裏側に形成されているので見えない（三角形Ｐ１・Ｐ２・Ｐ３の斜辺Ｈ２３を点線で示している。）。
【００２０】
《離脱用斜面１０Ｓ２》
離脱用斜面１０Ｓ２は、図で奥側（背面部１０Ｗ（図２）側）の面（白色）の両角（すみ）にある２つの点Ｐ４とＰ５を結ぶ辺Ｈ４５から出発して、図で手前側（メスハウジング２０（図２）側）の面（灰色）にある角（かど）の点Ｐ６に向けて辺Ｈ４５の長さを狭めながら最後の点Ｐ６では点となる全体で三角形Ｐ１（奥）・Ｐ２（奥）・Ｐ３（手前）をなす斜面である。図３では、離脱用斜面１０Ｓ２は、上部作動部Ｔｏの奥側から手前正面側に向けて三角形Ｐ１・Ｐ２・Ｐ３（ハッチングで示す部分）で形成されているのが見える。
【００２１】
《下部作動部Ｔｕ》
下部作動部Ｔｕは上部作動部Ｔｏと同じく全体が略箱状をしており、横溝空間１０Ｈと縦溝空間１０Ｖの交差する点を中心に点対称をなしている。すなわち、縦溝空間１０Ｖを境にして箱の左側上方に挿入用斜面１０Ｓ１と、右側上方に離脱用斜面１０Ｓ２が形成されている。
【００２２】
《挿入用斜面１０Ｓ１》
挿入用斜面１０Ｓ１は、図で手前側（メスハウジング２０（図２）側）の正面の両角にある２つの頂点Ｐ１とＰ２を結ぶ辺Ｈ１２から出発して、図で奥側（背面部１０Ｗ（図２）側）の面にある角の点Ｐ３に向けて辺Ｈ１２の長さを狭めながら最後の点Ｐ３では点となる全体で三角形Ｐ１（手前）・Ｐ２（手前）・Ｐ３（奥）をなす斜面である。図３では、挿入用斜面１０Ｓ１は、上部作動部Ｔｏの正面の裏側に形成されているので、見えない（三角形Ｐ１・Ｐ２・Ｐ３の斜辺Ｈ２３を点線で示している。）。挿入用斜面１０Ｓ１は、下部作動部Ｔｕの正面の裏側に形成されているので見えない（三角形の斜辺を点線で示している。）。
【００２３】
《離脱用斜面１０Ｓ２》
離脱用斜面１０Ｓ２は、図で奥側（背面部１０Ｗ（図２）側）の面の両角にある２つの点Ｐ４とＰ５を結ぶ辺Ｈ４５から出発して、図で手前側（メスハウジング２０（図２）側）の面にある角の点Ｐ６に向けて辺Ｈ４５の長さを狭めながら最後の点Ｐ６では点となる全体で三角形Ｐ１（奥）・Ｐ２（奥）・Ｐ３（手前）をなす斜面である。図３では、離脱用斜面１０Ｓ２は、上部作動部Ｔｏの奥側から手前正面側に向けて三角形Ｐ１・Ｐ２・Ｐ３（ハッチングで示す部分）で形成されているのが見える。
【００２４】
〈メスハウジング２０〉
図１および図２において、メスハウジング２０はオスハウジング１０の開口空間からその内部に収容される箱状をしており、内部にはオスハウジングの接続端子と接続される多数の接続端子（図示は省略）を収容している。メスハウジング２０をオスハウジング１０に嵌合したとき、オスハウジング１０のＴ字レンチ作動部１０Ｔの障害にならないように、メスハウジング２０にはＴ字レンチ作動部１０Ｔに対応する部位が抉（えぐ）られた開口部２０Ｋを上下面に備えている。
また、オスハウジング１０の横溝空間１０Ｈと縦溝空間１０Ｖに対応させて、メスハウジング２０の正面に十字の開口部２０Ｃが設けられている。十字開口部２０Ｃの長さはトルクレンチ４０（図５）のＴ字レンチ４０Ｔの長さ以上であり、十字開口部２０Ｃの幅はトルクレンチ４０（図５）のＴ字レンチ４０Ｔ（図５）が出入りできる大きさとなっている。
【００２５】
〈ストッパ板３０〉
ストッパ板３０は図１に示すように矩形状（もちろん矩形状に限定されるものではない。）の板に一辺から中心に延びる開口部３０Ｃがあけられている。開口部３０Ｃの大きさは、トルクレンチ４０（図５で後述）のＴ字レンチ４０Ｔの軸部４０Ｃが通りかつ軸部４０Ｃの２箇所に設けられた嵌合時使用突起４０Ｓ１と離脱時使用突起４０Ｓ２が通れない大きさとなっている。ストッパ板３０をトルクレンチ４０の軸部４０Ｃの嵌合時使用突起４０Ｓ１の前方（Ｔ字レンチ４０Ｔ側）に嵌め込むことにより、嵌合時にＴ字レンチ４０Ｔがメスハウジング２０に挿入される長さが規制され、また、ストッパ板３０をトルクレンチ４０の軸部４０Ｃの離脱時使用突起４０Ｓ２の前方（Ｔ字レンチ４０Ｔ側）に嵌め込むことにより、離脱時にＴ字レンチ４０Ｔがメスハウジング２０に挿入される長さが規制される。
【００２６】
〈トルクレンチ４０〉
図５は本発明で使用するトルクレンチ４０の側面図である。トルクレンチ４０は把持部４０Ｇと、把持部４０Ｇを把持した状態で正面にＴ字レンチ４０Ｔと、を備えている。Ｔ字レンチ４０Ｔはその軸部４０Ｃの先端に上下方向に延びる短軸から成るＴ字状をした金属棒で、軸部４０Ｃの２箇所に嵌合時使用突起４０Ｓ１と離脱時使用突起４０Ｓ２が設けられている。Ｔ字レンチ４０Ｔを９０度正回転させながらで挿入用斜面１０Ｓ１を押すことにより、オスハウジング１０はメスハウジング２０に接近するようになる。また、Ｔ字レンチ４０Ｔを９０度逆回転させながらで離脱用斜面１０Ｓ２を押すことにより、オスハウジング１０はメスハウジング２０から離れていくようになる。
【００２７】
〈本発明の低挿入力コネクタによる嵌合の手順〉
次ぎに、本発明の低挿入力コネクタによる嵌合手順について図６を用いて説明する。
図６は本発明の低挿入力コネクタの嵌合手順を説明する図で、（Ａ）はオスハウジング１０とメスハウジング２０を仮嵌合した状態をメスハウジング側から見た正面図、（Ｂ）は同じくそれの平面断面図で、両図において（１）は仮嵌合時、（３）は嵌合完了時、（２）はその途中の図である。
（１）オスハウジング１０にメスハウジング２０を仮嵌合する（図６（１）参照）。
（２）トルクレンチ４０（図５）の軸部４０Ｃの嵌合時使用突起４０Ｓ１のＴ字レンチ４０Ｔ側（図で右側）にストッパ板３０（図１）の開口部３０Ｃを差し込み、固定する（図２参照）。
（３）ストッパ板３０を取り付けたトルクレンチ４０（図５）の先端部のＴ字レンチ４０Ｔを図２のメスハウジング２０の十字開口部２０Ｃの縦開口部に挿入する（図２参照）。
（４）Ｔ字レンチ４０Ｔを深く挿入していくと、嵌合時使用突起４０Ｓ１で移動が規制されているストッパ板３０がメスハウジング２０の正面に当接してＴ字レンチ４０Ｔはそれ以上の挿入が阻止される（図６（１））。
この時、トルクレンチ４０の先端部のＴ字レンチ４０Ｔは、その一端がオスハウジング１０の上部作動部Ｔｏの挿入用斜面１０Ｓ１の開始する辺Ｈ１２（図３（Ｂ）・手前）の位置に到達しており、他端が下部作動部Ｔｕの挿入用斜面１０Ｓ１の開始する辺Ｈ１２（図３（Ｂ）・手前）の位置に到達している。
図７はこの状態を示しており、Ｔ字レンチ４０Ｔは上部作動部Ｔｏおよび下部作動部Ｔｕの挿入用斜面１０Ｓ１の開始辺に到達している。
（５）トルクレンチ４０の把持部４０Ｇをメスハウジング２０側へ押し付けながら垂直方向（時計の１２時）から水平方向（時計の３時）に時計方向に回転させると、先端部のＴ字レンチ４０Ｔはその両端が挿入用斜面１０Ｓ１を手前に押し上げるように作用するので、オスハウジング１０はメスハウジング２０側へ接近し始める（図６（２））。
（６）トルクレンチ４０の把持部４０Ｇを回転させて水平方向（時計の３時）になると、先端部のＴ字レンチ４０Ｔはその両端が挿入用斜面１０Ｓ１の先端の点Ｐ３（奥）に達しているので、オスハウジング１０は最もメスハウジング２０に接近している。この状態で両者の嵌合が完了している（図６（３））。
このように、トルクレンチ４０の把持部４０Ｇはテコの原理で先端部のＴ字レンチ４０Ｔを回転させるので、低い力でオスハウジング１０とメスハウジング２０の嵌合をさせることができる。
（７）トルクレンチ４０を水平方向にした状態で図２のメスハウジング２０の十字開口部２０Ｃの水平開口部から抜き去って、オスハウジング１０とメスハウジング２０の嵌合動作は終了する。
【００２８】
〈本発明の低挿入力コネクタの効果〉
以上のように、本発明によれば、従来の低挿入力コネクタに必要だったねじ部のような複雑な螺旋加工が必要でなく、簡単な傾斜面をオスコネクタ側に形成し、かつ汎用のトルクレンチとストッパ板を用いるだけで、製造が容易でかつ故障し難い低挿入力のコネクタを得ることができる。
【００２９】
〈本発明の低挿入力コネクタによる離脱の手順〉
次ぎに、本発明の低挿入力コネクタの離脱の手順について図８〜図１０を用いて説明する。図８は、本発明に係る低挿入力コネクタが嵌合している状態を示す斜視図、図９は嵌合状態の低挿入力コネクタをトルクレンチを用いて離脱させる状態を示す斜視図である。図１０は本発明の低挿入力コネクタの離脱手順を説明する図で、（Ａ）はオスハウジング１０とメスハウジング２０が嵌合した状態をメスハウジング側から見た正面図、（Ｂ）は同じくそれの平面断面図で、両図において（１）は嵌合時、（３）は嵌合離脱時、（２）はその途中の図である。
（１）図８のようにオスハウジング１０とメスハウジング２０は嵌合している。この状態で、メスハウジング２０の上部のストッパ板挿入穴１０Ｋにストッパ板３０を挿入し、メスハウジング２０内に収納する。
（２）トルクレンチ４０（図９）の先頭側のＴ字レンチ４０Ｔをメスハウジング２０の十字開口部２０Ｃの縦開口部に挿入する。
（３）Ｔ字レンチ４０Ｔを挿入していくと、離脱時使用突起４０Ｓ２がストッパ板３０に当接して、Ｔ字レンチ４０Ｔはそれ以上の挿入が阻止される（図１０（１））。この時、トルクレンチ４０の先端部のＴ字レンチ４０Ｔは、その一端がオスハウジング１０の上部作動部Ｔｏの離脱用斜面１０Ｓ２の開始する辺Ｈ４５（図３（Ｂ）・奥）の位置に到達しており、他端が下部作動部Ｔｕの離脱用斜面１０Ｓ２の開始する辺Ｈ４５（図３（Ｂ）・奥）の位置に到達している。
図７はこの状態を示しており、Ｔ字レンチ４０Ｔは上部作動部Ｔｏおよび下部作動部Ｔｕの離脱用斜面１０Ｓ２の開始辺に到達している。嵌合時はこの状態からＴ字レンチ４０Ｔを時計方向に回したが、離脱時はこの状態からＴ字レンチ４０Ｔを反時計方向に回すのが特徴である。
（４）トルクレンチ４０の把持部４０Ｇをメスハウジング２０側へ押し付けながら垂直方向（時計の１２時）から水平方向（時計の９時）に反時計方向に回転させると、先端部のＴ字レンチ４０Ｔはその両端が離脱用斜面１０Ｓ２を向こうへ押し出すように作用するので、オスハウジング１０はメスハウジング２０側から遠ざかり始める（図１０（２））。
（５）トルクレンチ４０の把持部４０Ｇを回転させて水平方向（時計の９時）になると、先端部のＴ字レンチ４０Ｔはその両端が離脱用斜面１０Ｓ２の先端の点Ｐ６（手前）に達しているので、オスハウジング１０は最も遠くにメスハウジング２０を押し出している。この状態で両者の離脱が完了している（図１０（３））。
このように、トルクレンチ４０の把持部４０Ｇはテコの原理で先端部のＴ字レンチ４０Ｔを回転させるので、低い力でオスハウジング１０とメスハウジング２０の嵌合を離脱させることができる。
（６）トルクレンチ４０を水平方向にした状態で図９のメスハウジング２０の十字開口部２０Ｃの水平開口部から抜き去って、オスハウジング１０とメスハウジング２０の離脱動作は終了する。
【００３０】
〈Ｔ字レンチ４０Ｔと十字開口部２０Ｃの関係〉
図１１は、本発明の低挿入力コネクタのメスハウジング２０の十字開口部２０Ｃの正面図である。以上の説明から分かるように、嵌合開始時も離脱開始時もＴ字レンチ４０Ｔは十字開口部２０Ｃの垂直開口部（時計の６時−１２時方向開口部）に挿入する。
その後、嵌合時はＴ字レンチ４０Ｔを時計方向に３時まで９０度水平に回し、離脱時はＴ字レンチ４０Ｔを反時計方向に９時まで９０度水平に回す。
そして、嵌合完了後も離脱完了後もＴ字レンチ４０Ｔは十字開口部２０Ｃの水平開口部（時計の３時−９時方向開口部）から抜き去ればよい。
【００３１】
〈本発明の低挿入力コネクタの効果〉
以上のように、本発明によれば、従来の低挿入力コネクタに必要だったねじ部のような複雑な螺旋加工が必要でなく、簡単な傾斜面だけをオスコネクタ側に形成し、かつ汎用のトルクレンチとストッパ板を用いるだけで、壊れにくい丈夫な低挿入力コネクタを得ることができる。
【符号の説明】
【００３２】
１０  オスハウジング
１０Ａ  上部
１０Ｂ  底部
１０Ｌ  左側部
１０Ｒ  右側部
１０Ｗ  背面部
１０Ｔ  Ｔ字レンチ作動部
１０Ｋ  ストッパ板挿入穴
１０Ｈ  横溝空間
１０Ｖ  縦溝空間
１０Ｓ１  挿入用斜面
１０Ｓ２  離脱用斜面
２０  メスハウジング
２０Ｃ  十字開口部
２０Ｋ  開口部
３０  ストッパ板
３０Ｃ  開口部
４０  トルクレンチ
４０Ｃ  軸部
４０Ｇ  把持部
４０Ｔ  Ｔ字レンチ
４０Ｓ１  嵌合時使用突起
４０Ｓ２  離脱時使用突起
Ｔｏ  上部作動部
Ｔｕ  下部作動部
【図１】
0005594829.tif 000002
【図２】
0005594829.tif 000003
【図３】
0005594829.tif 000004
【図４】
0005594829.tif 000005
【図５】
0005594829.tif 000006
【図６】
0005594829.tif 000007
【図７】
0005594829.tif 000008
【図８】
0005594829.tif 000009
【図９】
0005594829.tif 000010
【図１０】
0005594829.tif 000011
【図１１】
0005594829.tif 000012
【図１２】
0005594829.tif 000013